【手続補正書】
【提出日】平成16年9月10日(2004.9.10)
【手続補正１】
【補正対象書類名】特許請求の範囲
【補正対象項目名】全文
【補正方法】変更
【補正の内容】
【特許請求の範囲】
【請求項１】
軸および軸方向に対向する第１および第２の端を有するハウジングと、
前記軸と同軸であり前記ハウジング内に内側端を有し前記第１の端の軸方向に外向きに外側端を有するロッド部材と、
前記ロッド部材を前記ハウジングに対して引っ込んだ位置と拡張した位置との間で前記ハウジングの軸方向に往復動せしめるために当該ロッド部材を支持する前記ロッド部材の前記内側端にあるガイド部材と、
前記ガイド部材と前記ハウジングの前記第２の端との間に延在する第１および第２の圧縮ばねであって、互いに、且つ前記軸に対して同軸である第１および第２の圧縮ばねと、
前記ガイド部材とロッドブッシュとの間に設けた衝撃吸収ばねリングとを具備し、
前記ロッドブッシュは前記第１の端の近傍にあり、完全拡張時に前記衝撃吸収ばねリングが前記ロッドブッシュに接触するように構成したことを特徴とする圧縮ばねロッド。
【請求項２】
前記第１の圧縮ばねの巻きの方向は、前記第２の圧縮ばねの巻きの方向とは反対である請求項１記載の圧縮ばねロッド。
【請求項３】
前記第１の圧縮ばねの自由長さは、前記第２の圧縮ばねの自由長さとは異なる請求項１又は２記載の圧縮ばねロッド。
【請求項４】
前記第１の圧縮ばねの外径は、前記第２の圧縮ばねの外径よりも小さい請求項１〜３の何れかに記載の圧縮ばねロッド。
【請求項５】
前記第１の圧縮ばねのワイヤ直径は、前記第２の圧縮ばねのワイヤ直径よりも小さい請求項１〜４の何れかに記載の圧縮ばねロッド。
【請求項６】
前記第１の圧縮ばねの外径およびワイヤ直径は、それぞれ、前記第２の圧縮ばねの外径およびワイヤ直径よりも小さい請求項１〜３の何れかに記載の圧縮ばねロッド。
【請求項７】
軸および軸方向に対向する端を有するハウジングと、
前記軸と同軸であり前記ハウジング内に内側端を有し、前記対向する端の一方の軸方向に外向きに外側端を有するロッド部材と、
前記ロッド部材の前記内側端に設けられたガイド部材と、
前記ロッド部材を前記ハウジングに対して引っ込んだ位置と拡張した位置との間で前記ハウジングの軸方向に往復動せしめるために前記ロッド部材を支持する前記対向する端の一方にあるブッシュと、
前記ロッド部材をその拡張位置へ向けて偏倚するために各々が前記ガイド部材と前記軸と同軸である前記対向する端の他方との間に延在する第１および第２の圧縮ばねとからなり、
前記ガイド部材は、前記ハウジング内における前記ガイド部材の摺動運動を容易にするためにガイドリングによって囲繞されていることを特徴とする圧縮ばねロッド。
【請求項８】
前記第１の圧縮ばねの巻きの方向は、前記第２の圧縮ばねの巻きの方向とは反対である請求項７記載の圧縮ばねロッド。
【請求項９】
前記第１の圧縮ばねの長さは、前記第２の圧縮ばねの長さに等しくない請求項７又は８記載の圧縮ばねロッド。
【請求項１０】
前記第１の圧縮ばねの外径は、前記第２の圧縮ばねの外径よりも小さい請求項７〜９の何れかに記載の圧縮ばねロッド。
【請求項１１】
前記第１の圧縮ばねのワイヤ直径は、前記第２の圧縮ばねのワイヤ直径よりも小さい請求項７〜１０の何れかに記載の圧縮ばねロッド。
【請求項１２】
前記第１の圧縮ばねの外径およびワイヤ直径は、前記第２の圧縮ばねの外径およびワイヤ直径よりも小さい請求項７〜９の何れかに記載の圧縮ばねロッド。
【請求項１３】
ガイドロッドは、前記ガイド部材から前記軸に同軸である前記対向する端の他方に向けて延在し、前記第１の圧縮ばねが、前記ガイドロッドを囲繞する請求項７〜１２の何れかに記載の圧縮ばねロッド。
【請求項１４】
軸および軸方向に対向する第１および第２の端を有するハウジングと、
前記軸と同軸であり前記ハウジング内に内側端を有し前記第１の端の軸方向に外向きに外側端を有するロッド部材と、
前記ロッド部材の前記内側端にあるガイド部材と、
前記ロッド部材を前記ハウジングに対して引っ込んだ位置と拡張した位置との間で前記ハウジングの軸方向に往復動せしめるために前記ロッド部材を支持する前記第１の端にあるブッシュと、
前記ロッド部材をその拡張位置へ向けて偏倚するために各々が前記ガイド部材と前記軸と同軸である前記ブッシュとの間に延在する第１および第２の圧縮ばねとからなり、
前記ガイド部材は、前記ハウジング内における当該ガイド部材の摺動運動を容易にするためにガイドリングによって囲繞されていることを特徴とする圧縮ばねロッド。
【請求項１５】
前記第１の圧縮ばねの巻きの方向は、少なくとも前記第２の圧縮ばねの巻きの方向とは反対である請求項１４記載の圧縮ばねロッド。
【請求項１６】
前記第１の圧縮ばねの長さは、前記第２の圧縮ばねの長さに等しくない請求項１４又は１５記載の圧縮ばねロッド。
【請求項１７】
前記第１の圧縮ばねの外径は、前記第２の圧縮ばねの外径よりも小さい請求項１４〜１６の何れかに記載の圧縮ばねロッド。
【請求項１８】
前記第１の圧縮ばねのワイヤ直径は、前記第２の圧縮ばねのワイヤ直径よりも小さい請求項１４〜１７の何れかに記載の圧縮ばねロッド。
【請求項１９】
前記第１の圧縮ばねの外径およびワイヤ直径は、それぞれ、前記第２の圧縮ばねの外径およびワイヤ直径よりも小さい請求項１４〜１６の何れかに記載の圧縮ばねロッド。
【請求項２０】
ガイドロッドは、前記ガイド部材から前記軸に同軸である前記第２の端に向けて延在し、緩和ばねが、前記ガイドロッドを囲繞し、前記ロッド部材の引っ込む運動の衝撃を緩和するために前記ガイド部材と前記ハウジングの前記第２の端との間に延在する請求項１４〜１９の何れかに記載の圧縮ばねロッド。
【請求項２１】
軸および軸方向に対向する端を有するハウジングと、
前記軸と同軸であり前記ハウジング内に内側端を有し前記対向する端のそれぞれ異なる軸方向に外向きに外側端を有する第１および第２のロッドと、
前記ロッドの前記内側端を相互接続すると共に、前記ハウジングに対して引っ込んだ位置と拡張した位置との間を前記ハウジングの軸方向に往復動せしめるために前記ロッドを支持するガイド部材と、
前記ガイド部材の軸方向外側面に隣接する第１および第２のばねリングと、
各々が前記ガイド部材と前記軸と同軸である前記ハウジングの前記対向する端の一方との間に延在する第１および第２の圧縮ばねと、
各々が前記ガイド部材と前記軸と同軸である前記ハウジングの前記対向する端の他方との間に延在する第３および第４の圧縮ばねとを具備し、
前記圧縮ばねは、前記ロッドを前記ハウジングに対して中心位置へ向けて偏倚させることを特徴とする圧縮ばねロッド。
【請求項２２】
前記第１および第３の圧縮ばねの巻きの方向は、前記第２および第４の圧縮ばねの巻きの方向とは反対である請求項２１記載の圧縮ばねロッド。
【請求項２３】
前記第１および第３の圧縮ばねの長さは同一であり、前記第２および第４の圧縮ばねの長さは同一であり、前記１および第３の圧縮ばねの長さとは異なる請求項２１又は２２記載の圧縮ばねロッド。
【請求項２４】
前記第１および第３の圧縮ばねの外径は、それぞれ、前記第２および第４の圧縮ばねの外径よりも小さい請求項２１〜２３の何れかに記載の圧縮ばねロッド。
【請求項２５】
前記第１および第３の圧縮ばねのワイヤ直径は同一であり、前記第２および第４の圧縮ばねのワイヤ直径は同一であり、前記第１および第３の圧縮ばねのワイヤ直径よりも大きい請求項２１〜２４の何れかに記載の圧縮ばねロッド。
【請求項２６】
前記第１および第３の圧縮ばねの外径およびワイヤ直径は、それぞれ、前記第２および第４の圧縮ばねの外径およびワイヤ直径よりも小さい請求項２１〜２３の何れかに記載の圧縮ばねロッド。
【請求項２７】
前記第１および第３の圧縮ばねの外径は同一であり、前記第２および第４の圧縮ばねの外径は同一であり、前記第１および第３の圧縮ばねのワイヤ直径は同一であり、前記第２および第４の圧縮ばねのワイヤ直径は同一である請求項２６記載の圧縮ばねロッド。
【請求項２８】
軸および軸方向に対向する第１および第２の端を有するハウジングと、
前記軸と同軸であり前記ハウジング内に内側端を有し前記第１の端の軸方向に外向きに外側端を有するロッド部材と、
前記ロッド部材を前記ハウジングに対して引っ込んだ位置と拡張した位置との間で前記ハウジングの軸方向に往復動せしめるために前記ロッド部材を支持すると共に、前記ロッド部材の前記内側端に設けられたあるガイド部材と
各々が前記ガイド部材と前記ハウジングの前記第２の端との間に延在する第１および第２の圧縮ばねであって、互いに且つ前記軸に対して同軸である第１および第２の圧縮ばねとを具備し、
前記ガイド部材は、前記ロッド部材が前記拡張した位置にあるときに前記第１の端にあるブッシュに隣接するように設けられ、
前記第１の圧縮ばねの巻きの方向は前記第２の圧縮ばねの巻きの方向とは反対であり、前記第１の圧縮ばねの自由長は、前記第２の圧縮ばねの自由長とは異なることを特徴とする圧縮ばねロッド。
【請求項２９】
前記第１の圧縮ばねの外径は、前記第２の圧縮ばねの外径よりも小さい請求項２８記載の圧縮ばねロッド。
【請求項３０】
前記第１の圧縮ばねのワイヤ直径は、前記第２の圧縮ばねのワイヤ直径よりも小さい請求項２８記載の圧縮ばねロッド。
【請求項３１】
前記第１の圧縮ばねの外径およびワイヤ直径は、それぞれ、前記第２の圧縮ばねの外径およびワイヤ直径よりも小さい請求項２８記載の圧縮ばねロッド。
【請求項３２】
軸および軸方向に対向する第１および第２の端を有するハウジングと、
前記軸と同軸であり前記ハウジング内に内側端を有し前記第１の端の軸方向に外向きに外側端を有するロッド部材と、
前記ロッド部材の前記内側端にあるガイド部材であって、前記ハウジング内における前記ガイド部材の摺動運動を容易にするためにガイドリングによって囲繞されるガイド部材と、
各々が前記ガイド部材と前記ハウジングの前記第２の端とによって保持されその間に延在する第１および第２の圧縮ばねと、
前記第２の端の軸方向に内向きにネック部分を有するテールブッシュとを具備し、
前記ネック部分および前記ロッド部材の前記内側端は、前記第１のばねの座屈を防止するために、前記第１のばねの内部に受け入れられるサイズである直径を有するように構成したことを特徴とする圧縮ばねロッド。
【請求項３３】
前記第１の圧縮ばねの巻きの方向は、前記第２の圧縮ばねの巻きの方向とは反対である請求項３２記載の圧縮ばねロッド。
【請求項３４】
前記第１の圧縮ばねの自由長は、前記第２の圧縮ばねの自由長とは異なる請求項３２又は３３記載の圧縮ばねロッド。
【請求項３５】
前記第１の圧縮ばねの外径は、前記第２の圧縮ばねの外径よりも小さい請求項３２〜３４の何れかに記載の圧縮ばねロッド。
【請求項３６】
前記第１の圧縮ばねのワイヤ直径は、前記第２の圧縮ばねのワイヤ直径よりも小さい請求項３２〜３５の何れかに記載の圧縮ばねロッド。
【請求項３７】
前記第１の圧縮ばねの外径およびワイヤ直径は、それぞれ、前記第２の圧縮ばねの外径およびワイヤ直径よりも小さい請求項３２記載の圧縮ばねロッド。
【請求項３８】
軸および軸方向に対向する第１および第２の端を有するハウジングと、
前記軸と同軸であり前記ハウジング内に内側端を有し前記第１の端の軸方向に外向きに外側端を有するロッド部材と、
前記ロッド部材の前記内側端にあるガイド部材であって、前記ハウジング内における当該ガイド部材の摺動運動を容易にするためにガイドリングによって囲繞されるガイド部材と、
各々が前記ガイド部材と前記ハウジングの前記第２の端とによって保持されその間に延在する第１および第２の圧縮ばねとを具備し、
前記第１および第２の圧縮ばねは、前記第１の端と前記第２の端との間に実質的に拡張力を提供するように構成したことを特徴とする圧縮ばねロッド。
【請求項３９】
前記第２の端の軸方向に内向きにネック部分を有するテールブッシュをさらに具備し、前記ネック部分および前記ロッド部材の前記内側端は、前記第１のばねの座屈を防止するために前記第１のばねの内部に受け入れられるサイズである直径を有する請求項３８記載の圧縮ばねロッド。
【請求項４０】
前記第１の圧縮ばねの巻きの方向は、前記第２の圧縮ばねの巻きの方向とは反対である請求項３８又は３９記載の圧縮ばねロッド。
【請求項４１】
前記第１の圧縮ばねの自由長は、前記第２の圧縮ばねの自由長とは異なる請求項３８〜４０の何れかに記載の圧縮ばねロッド。
【請求項４２】
前記第１の圧縮ばねの外径は、前記第２の圧縮ばねの外径よりも小さい請求項３８〜４１の何れかに記載の圧縮ばねロッド。
【請求項４３】
前記第１の圧縮ばねのワイヤ直径は、前記第２の圧縮ばねのワイヤ直径よりも小さい請求項３８〜４２の何れかに記載の圧縮ばねロッド。
【請求項４４】
前記第１の圧縮ばねの外径およびワイヤ直径は、それぞれ、前記第２の圧縮ばねの外径およびワイヤ直径よりも小さい請求項３８又は３９記載の圧縮ばねロッド。